(57)【要約】【課題】本発明は、ＴＥリング部または主部に残ったブリッジの破断片によって利用者が違和感を覚えるのを防ぐことができるキャップ、閉止装置、および容器詰め飲料を提供する。【解決手段】天板部３３とその周縁から垂下した筒部３４とを備え、該筒部３４が、主部３６と、該主部３６の下端にブリッジ３７，３７，‥‥によって連結されたタンパーエビデンスリング部３８とに区画されたキャップ３において、前記ブリッジ３７，３７，‥‥が、下方又は上方に向けて幅が徐々に狭くなるように形成された構成とする。【選択図】  図１
2004217293.tif 000002
【特許請求の範囲】
【請求項１】
天板部とその周縁から垂下した筒部とを備え、該筒部が、主部と、該主部の下端にブリッジによって連結されたタンパーエビデンスリング部とに区画されたキャップにおいて、
前記ブリッジが、下方に向けて幅が徐々に狭くなるように形成されていることを特徴とするキャップ。
【請求項２】
天板部とその周縁から垂下した筒部とを備え、該筒部が、主部と、該主部の下端にブリッジによって連結されたタンパーエビデンスリング部とに区画されたキャップにおいて、
前記ブリッジが、上方に向けて幅が徐々に狭くなるように形成されていることを特徴とするキャップ。
【請求項３】
容器と、その口部に装着されるキャップとを備え、該キャップが、天板部とその周縁から垂下した筒部とを備え、該筒部が、主部と、該主部の下端にブリッジによって連結されたタンパーエビデンスリング部とに区画されたものである閉止装置において、
前記ブリッジが、下方に向けて幅が徐々に狭くなるように形成されていることを特徴とする閉止装置。
【請求項４】
容器と、その口部に装着されるキャップとを備え、該キャップが、天板部とその周縁から垂下した筒部とを備え、該筒部が、主部と、該主部の下端にブリッジによって連結されたタンパーエビデンスリング部とに区画されたものである閉止装置において、
前記ブリッジが、上方に向けて幅が徐々に狭くなるように形成されていることを特徴とする閉止装置。
【請求項５】
容器と、その口部に装着されるキャップとを備え、該キャップが、天板部とその周縁から垂下した筒部とを備え、該筒部が、主部と、該主部の下端にブリッジによって連結されたタンパーエビデンスリング部とに区画されたものである閉止装置内に飲料が充填された容器詰め飲料において、
前記ブリッジが、下方に向けて幅が徐々に狭くなるように形成されていることを特徴とする容器詰め飲料。
【請求項６】
容器と、その口部に装着されるキャップとを備え、該キャップが、天板部とその周縁から垂下した筒部とを備え、該筒部が、主部と、該主部の下端にブリッジによって連結されたタンパーエビデンスリング部とに区画されたものである閉止装置内に飲料が充填された容器詰め飲料において、
前記ブリッジが、上方に向けて幅が徐々に狭くなるように形成されていることを特徴とする容器詰め飲料。
【発明の詳細な説明】
【０００１】
【発明の属する技術分野】
本発明は、容器の口部に装着されて該容器の口部を閉止するキャップ、このキャップを用いた閉止装置、およびこの閉止装置を用いた容器詰め飲料に関する。
【０００２】
【従来の技術】
図５は、従来の閉止装置の一例を示す。この閉止装置５１は、容器２と、この容器２の口部２１に装着されるキャップ３とから構成されている。容器２は、アルミニウム、スチールなどの金属からなるものである。
【０００３】
キャップ５３は、アルミニウムやスチールなどの金属からなるキャップ本体３１を備えている。このキャップ本体３１は、円形の天板部３３と、その周縁から垂下した筒部３４とから構成されている。
このキャップ本体３１の筒部３４には、水平方向に断続する切り込み（以下、水平スコアと言う。）５５，５５，‥‥が設けられており、筒部３４は、この水平スコア５５，５５，‥‥によって、主部３６と、この主部３６に連結されたタンパーエビデンスリング部（以下、ＴＥリング部と言う。）３８とに区画されている。またこの筒部３４には、容器口部２１に形成された雄ネジ２３に螺合するネジ部３９が形成されている。（例えば特許文献１参照。）
【０００４】
容器口部２１に装着したキャップ５３を開栓方向に回すと、キャップ５３の主部３６は回転に従って上昇する一方、ＴＥリング部３８は容器口部２１の膨出段部２４下部にて係止し、上方への移動が阻止される。このため、キャップ５３の主部３６とＴＥリング部３８とを連結しているブリッジ５７，５７，‥‥に引張力が作用し、これらブリッジ５７，５７，‥‥が破断し、ＴＥリング部３８は主部３６から切り離される。
図６は、ブリッジ５７の拡大図であり、図６（ａ）は、キャップ５３を開栓する前の状態を示し、図６（ｂ）はキャップ５３を開栓する際の状態を示す。キャップ５３を開栓するとき、前記したようにブリッジ５７には引張り力が作用し、ブリッジ５７は長さ方向の中央付近で破断する。
【０００５】
ところで、近年では、飲料用などの容器として、ガラスや合成樹脂製のものに代えて、アルミニウムなどの金属製のものが用いられている。
一般に、金属製の容器２は、ガラスや合成樹脂からなるものに比べ若干強度が劣る。このため、金属製の容器２に内容液を充填する場合には、容器２内に液体窒素などを供給してキャップ５３を装着し、この窒素により容器２の内圧を高めることが行われている。この容器２の内圧は、常温時の圧力が常圧を越える値に設定することが多い。
容器２の内圧を、常圧を越える値に設定することによって、容器２の内外の圧力差や外部からの衝撃により容器２が変形するのを防ぐことができる。
【０００６】
【特許文献１】
特開平９−３２８１５８号公報
【０００７】
【発明が解決しようとする課題】
このような容器２の内圧の高圧化に対応するため、金属製容器用のキャップ５３には、強度が高い硬質材料からなるものが用いられる。特に大型のキャップ５３（例えば最大内径が３０ｍｍ以上であるキャップ）では、より硬質の材料が用いられる。このため、通常、ＴＥリング部３８に垂直スコアは形成されない。垂直スコアが形成されていないキャップ５３では、キャップ開栓後、ＴＥリング部３８は容器口部２１に残ることになる。
【０００８】
容器口部２１に残ったＴＥリング部３８には、図６（ｂ）で示されたブリッジの破断片５７ａ，５７ａ，‥‥が残るため、利用者が容器口部２１を口に当てた状態で容器２内の飲料を飲む場合に、このブリッジの破断片５７ａ，５７ａ，‥‥が唇に当たってしまい、利用者が違和感を覚えることがあった。
また、容器口部２１から取り外したキャップ５３の主部３６にもブリッジの破断片５７ａ，５７ａ，‥‥が残るため、この主部３６を取り扱う際に、ブリッジの破断片５７ａ，５７ａ，‥‥が手に当たってしまい、利用者が違和感を覚えることがあった。
【０００９】
本発明は上記した事情に鑑みてなされたものであり、ＴＥリング部または主部に残ったブリッジの破断片によって利用者が違和感を覚えるのを防ぐことができるキャップ、閉止装置、および容器詰め飲料を提供することを目的とする。
【００１０】
【課題を解決するための手段】
かかる課題を解決するため、本発明のキャップは、天板部とその周縁から垂下した筒部とを備え、該筒部が、主部と、該主部の下端にブリッジによって連結されたタンパーエビデンスリング部とに区画されたキャップにおいて、前記ブリッジが、下方に向けて幅が徐々に狭くなるように形成されていることを特徴とする。
また、前記ブリッジは、上方に向けて幅が徐々に狭くなるように形成されていてもよい。
【００１１】
本発明の閉止装置は、容器と、その口部に装着されるキャップとを備え、該キャップが、天板部とその周縁から垂下した筒部とを備え、該筒部が、主部と、該主部の下端にブリッジによって連結されたタンパーエビデンスリング部とに区画されたものである閉止装置において、前記ブリッジが、下方に向けて幅が徐々に狭くなるように形成されていることを特徴とする。
また、前記ブリッジは、上方に向けて幅が徐々に狭くなるように形成されていてもよい。
【００１２】
本発明の容器詰め飲料は、容器と、その口部に装着されるキャップとを備え、該キャップが、天板部とその周縁から垂下した筒部とを備え、該筒部が、主部と、該主部の下端にブリッジによって連結されたタンパーエビデンスリング部とに区画されたものである閉止装置内に飲料が充填された容器詰め飲料において、前記ブリッジが、下方に向けて幅が徐々に狭くなるように形成されていることを特徴とする。
また、前記ブリッジは、上方に向けて幅が徐々に狭くなるように形成されていてもよい。
【００１３】
【発明の実施の形態】
［第１の実施形態］
図１は、本発明の閉止装置の第１の実施形態を示すもので、図１（ａ）は一部断面図であり、図１（ｂ）は、図１（ａ）中、符号Ａで示す部分の拡大図を示す。
この閉止装置１は、容器２と、この容器２の口部２１に装着されるキャップ３とから構成されている。
容器２は、アルミニウム、スチールなどの金属からなるものであり、容器口部２１の開口端部２２は外方に湾曲した形状となっている。
なお、容器２としては、ポリエチレンテレフタレート（ＰＥＴ）などの合成樹脂や、ガラスからなるものを使用することもできる。
【００１４】
キャップ３は、キャップ本体３１とライナー３２とを備えている。このキャップ本体３１は、アルミニウムやスチールなどの金属からなり、円形の天板部３３と、その周縁から垂下した筒部３４とから構成されている。
なお、キャップ本体３１の材料としては、ポリエチレン、ポリプロピレンなどの合成樹脂を使用することもできる。
【００１５】
このキャップ本体３１の筒部３４には、水平方向に断続する切り込み（以下、水平スコアと言う。）３５，３５，‥‥が設けられており、筒部３４は、この水平スコア３５，３５，‥‥によって、水平スコア３５，３５，‥‥より上部の主部３６と、この主部３６の下端にブリッジ３７，３７，‥‥によって連結されたタンパーエビデンスリング部（以下、ＴＥリング部と言う。）３８とに区画されている。
また、筒部３４には、キャップ３を容器２に装着する際にネジ部３９が形成されており、このネジ部３９は、筒部３４の内面側にて容器口部２１の雄ネジ２３に螺合するようになっている。
【００１６】
ライナー３２は、ポリプロピレンとゴムをブレンドしたもの、ポリエチレン、ＥＶＡ（エチレン酢酸ビニル共重合体）などの比較的軟質の合成樹脂材料からなる円板シート状のものであり、天板部３３内面に設けられている。
天板部３３の周縁部３３ａは、開口端部２２の外面に沿って湾曲しており、この周縁部３３ａによってライナー３２の周縁部は容器２の開口端部２２に圧接されるようになっている。これにより容器２の内部が、高い気密性で保たれるようになっている。
【００１７】
本実施形態では、図１（ｂ）に示されたように、ブリッジ３７，３７，‥‥は下方に向けて幅が徐々に狭くなるように形成されている。このため、ブリッジ３７，３７，‥‥の下端３７ｂの幅が最小幅Ｘとなり、ブリッジ３７，３７，‥‥の上端３７ｃの幅が最大幅Ｙとなる。
【００１８】
ブリッジ３７，３７，‥‥の形状や寸法は、キャップ３や容器２の大きさ、またキャップ３に要求される強度などを考慮し、適宜決定されるが、ブリッジ３７，３７，‥‥の最小幅Ｘは、０．１〜３ｍｍとすることが好ましく、０．５〜２ｍｍとすることが更に好ましい。
またブリッジ３７，３７，‥‥の最大幅Ｙは、０．２〜５ｍｍとすることが好ましく、０．８〜３ｍｍとすることが更に好ましい。
ブリッジ３７，３７，‥‥の最小幅Ｘと最大幅Ｙの比Ｘ／Ｙは、０．１〜０．７とすることが好ましく、０．２〜０．５とすることが更に好ましい。
【００１９】
ブリッジ３７，３７，‥‥の最小幅Ｘが０．１ｍｍ未満、又はブリッジ３７，３７，‥‥の最大幅Ｙが０．２ｍｍ未満のときには、ブリッジ３７，３７，‥‥の強度が十分でなく、ブリッジ３７，３７，‥‥が破断しやすくなる。
また、ブリッジ３７，３７，‥‥の最小幅Ｘが３ｍｍよりも大きいとき、又はブリッジ３７，３７，‥‥の最大幅Ｙが５ｍｍよりも大きいときには、ブリッジ３７，３７，‥‥の強度が過度に高くなり、高い開栓トルクが必要となるため、好ましくない。
【００２０】
更に、ブリッジ３７，３７，‥‥の最小幅Ｘと最大幅Ｙとの比Ｘ／Ｙが０．７よりも大きいときには、図６（ｂ）に示された従来例のようにブリッジ３７，３７，‥‥は長さ方向の中央付近で破断し、このブリッジの破断片３７ａ，３７ａ，‥‥がＴＥリング部３８に残ることとなる。このため利用者が容器口部２１を口に当てた状態で容器２内の飲料を飲む場合に、このブリッジの破断片３７ａ，３７ａ，‥‥が唇に当たってしまい、利用者が違和感を覚えることとなり、好ましくない。
ブリッジ３７，３７，‥‥の最小幅Ｘと最大幅Ｙとの比Ｘ／Ｙが０．１よりも小さいときには、ブリッジ３７，３７，‥‥の強度が過小又は過大となり、好ましくない。
【００２１】
容器口部２１に装着したキャップ３を開栓方向に回すと、図２に示すようにキャップ３が上昇し、容器２の密封が解除される。
このキャップ開栓の過程では、ＴＥリング部３８が容器口部２１の膨出段部２４下端に係止することから、キャップ３の主部３６は回転に従って上昇する一方、ＴＥリング部３８は上方への移動が阻止され、その結果、キャップ３の主部３６とＴＥリング部３８とを連結しているブリッジ３７，３７，‥‥に引張力が作用し、これらブリッジ３７，３７，‥‥が破断し、ＴＥリング部３８は主部３６から切り離される。
【００２２】
このとき、ブリッジ３７，３７，‥‥は幅が最も狭い下端３７ｂで強度が最も低いため、この下端３７ｂで破断する。このため、図２中、符号Ｂ，Ｃに示されたように、ブリッジの破断片３７ａ，３７ａ，‥‥は、容器口部２１に係止したＴＥリング部３８には全く残らない。
これにより、利用者が容器口部２１を口に当てた状態で容器２内の飲料などを飲む場合に、従来のようにブリッジの破断片３７ａ，３７ａ，‥‥が唇に当たり、利用者が違和感を覚えることがない。
またキャップ３が金属からなる場合、ブリッジの破断片３７ａ，３７ａ，‥‥の先端が鋭利になることがある。本実施形態では、ブリッジの破断片３７ａ，３７ａ，‥‥は、容器口部２１に係止したＴＥリング部３８には全く残らないため、このようなブリッジの破断片３７ａ，３７ａ，‥‥が唇に当たり、利用者がけがをすることも防ぐことができる。
【００２３】
［第２の実施形態］
図３は、本発明の閉止装置の第２の実施形態を示すもので、図３（ａ）は一部断面図であり、図３（ｂ）は、図３（ａ）中、符号Ｄで示す部分の拡大図を示す。
本実施形態の閉止装置４１が、第１の実施形態と異なる点は、ブリッジ４７，４７，‥‥が、上方に向けて幅が徐々に狭くなるように形成されている点である。このため、本実施形態ではブリッジ４７，４７，‥‥の上端４７ｃの幅が最小幅Ｘ’となり、ブリッジ４７，４７，‥‥の下端４７ｂの幅が最大幅Ｙ’となる。
その他の閉止装置４１の構成は、第１の実施形態と同一であるため、詳細な説明は省略する。
【００２４】
ブリッジ４７，４７，‥‥の形状や寸法は、キャップ４３や容器２の大きさ、またキャップ４３に要求される強度などを考慮し、適宜決定されるが、特に本実施形態では、ブリッジ４７，４７，‥‥の最小幅Ｘ’は、０．１〜３ｍｍとすることが好ましく、０．５〜２ｍｍとすることが更に好ましい。
またブリッジ４７，４７，‥‥の最大幅Ｙ’は、０．２〜５ｍｍとすることが好ましく、０．８〜３ｍｍとすることが更に好ましい。
ブリッジ４７，４７，‥‥の最小幅Ｘ’と最大幅Ｙ’の比Ｘ’／Ｙ’は、０．１〜０．７とすることが好ましく、０．２〜０．５とすることが更に好ましい。
【００２５】
ブリッジ４７，４７，‥‥の最小幅Ｘ’が０．１ｍｍ未満、又はブリッジ４７，４７，‥‥の最大幅Ｙ’が０．２ｍｍ未満のときには、ブリッジ４７，４７，‥‥の強度が十分でなく、ブリッジ４７，４７，‥‥が破断しやすくなる。
また、ブリッジ４７，４７，‥‥の最小幅Ｘ’が３ｍｍよりも大きいとき、又はブリッジ４７，４７，‥‥の最大幅Ｙ’が５ｍｍよりも大きいときには、ブリッジ４７，４７，‥‥の強度が過度に高くなり、高い開栓トルクが必要となるため、好ましくない。
【００２６】
更に、ブリッジ４７，４７，‥‥の最小幅Ｘ’と最大幅Ｙ’との比Ｘ’／Ｙ’が０．７よりも大きいときには、図６（ｂ）に示された従来例のようにブリッジ４７，４７，‥‥は長さ方向の中央付近で破断し、このブリッジの破断片４７ａ，４７ａ，‥‥がキャップ４３の主部３６に残ることとなる。このため利用者がこのキャップ４３の主部３６を取り扱う際に、ブリッジの破断片４７ａ，４７ａ，‥‥が手に当たってしまい、利用者が違和感を覚えることとなり、好ましくない。
ブリッジ４７，４７，‥‥の最小幅Ｘ’と最大幅Ｙ’との比Ｘ’／Ｙ’が０．１よりも小さいときには、ブリッジ４７，４７，‥‥の強度が過小又は過大となり、好ましくない。
【００２７】
容器口部２１に装着したキャップ３を開栓方向に回すと、図４に示すようにキャップ３が上昇し、容器２の密封が解除される。
このキャップ開栓の過程では、第１の実施形態と同様に、キャップ４３の主部３６とＴＥリング部３８とを連結しているブリッジ４７，４７，‥‥に引張力が作用し、これらブリッジ４７，４７，‥‥が破断し、主部３６がＴＥリング部３８から切り離される。
【００２８】
このとき、ブリッジ４７，４７，‥‥は幅が最も狭い上端４７ｃで強度が最も低いため、この上端４７ｃで破断する。このため、図４中、符号Ｅ，Ｆに示されたように、ブリッジの破断片４７ａ，４７ａ，‥‥は、キャップ４３の主部３６には全く残らない。
これにより、利用者がこのキャップ４３の主部３６を取り扱う際に、従来のようにブリッジの破断片４７ａ，４７ａ，‥‥が手に当たり、利用者が違和感を覚えることがない。
またキャップ４３が金属からなる場合、ブリッジの破断片４７ａ，４７ａ，‥‥の先端が鋭利になることがある。本実施形態では、ブリッジの破断片４７ａ，４７ａ，‥‥は、キャップ４３の主部３６には全く残らないため、このようなブリッジの破断片４７ａ，４７ａ，‥‥が手に当たり、利用者がけがをすることも防ぐことができる。
【００２９】
上述した閉止装置１，４１では、果汁飲料，茶飲料，炭酸飲料，アルコール飲料，コーヒー飲料等の飲料を容器２に充填し、容器口部２１にキャップ３を装着することによって、飲料が充填された容器詰め飲料とすることができる。
【００３０】
【発明の効果】
以上、詳細に説明したように、請求項１，３，５に係る発明によれば、ブリッジが、下方に向けて幅が徐々に狭くなるように形成されており、キャップの開栓時において、ブリッジは最も幅の狭い下端にて破断する。このため、ブリッジの破断片は、容器口部に係止したＴＥリング部には全く残らない。
従って、利用者が容器の口部を口に当てた状態で容器内の飲料などを飲む場合に、従来のようにブリッジの破断片が唇に当たり、利用者が違和感を覚えることがない。
【００３１】
また、請求項２，４，６に係る発明によれば、ブリッジが、上方に向けて幅が徐々に狭くなるように形成されており、キャップの開栓時において、ブリッジは最も幅の狭い上端にて破断する。このため、ブリッジの破断片はキャップの主部には全く残らない。
従って、利用者がこのキャップの主部を取り扱う際に、従来のようにブリッジの破断片が手に当たり、利用者が違和感を覚えることがない。
【図面の簡単な説明】
【図１】第１の実施形態の閉止装置を示す概略図であり、（ａ）は一部断面図であり、（ｂ）は要部の拡大図である。
【図２】第１の実施形態の閉止装置のキャップを開栓した状態を示す概略図である。
【図３】第２の実施形態の閉止装置を示す概略図であり、（ａ）は一部断面図であり、（ｂ）は要部の拡大図である。
【図４】第２の実施形態の閉止装置のキャップを開栓した状態を示す概略図である。
【図５】従来の閉止装置を示す一部断面図である。
【図６】図５のブリッジの拡大図であり、（ａ）はキャップ開栓前の状態であり、（ｂ）はキャップ開栓後の状態を示す。
【符号の説明】
１，４１，５１‥‥閉止装置、２‥‥容器、３‥‥キャップ、２１‥‥容器口部、３３‥‥天板部、３４‥‥筒部、３６‥‥主部、３７，４７‥‥ブリッジ、３８‥‥タンパーエビデンスリング部
【図１】
2004217293.tif 000003
【図２】
2004217293.tif 000004
【図３】
2004217293.tif 000005
【図４】
2004217293.tif 000006
【図５】
2004217293.tif 000007
【図６】
2004217293.tif 000008